(57)【要約】【課題】ユーザーが、印刷画像の印刷部数を指定する指示と、加工画像の印刷部数を指定する指示とを容易に行うことが可能な情報処理装置、及び情報処理システムを提供する。【解決手段】情報処理装置１００は、入力部１１０と、第１生成部１６１と、第２生成部１６２と、表示部１２０とを備える。入力部１１０は、シートに印刷画像を形成する指示を受け付ける。第１生成部１６１は、印刷画像を示す印刷画像データを生成する。第２生成部１６２は、加工画像を示す加工画像データを生成する。加工画像は、色覚障害者向けに加工された前記印刷画像である。表示部１２０は、第１指定画面２３と第２指定画面３３とを共に表示可能である。【選択図】図１
2020030516.tif 000002
【特許請求の範囲】
【請求項１】
シートに画像を形成する画像形成装置と通信可能な情報処理装置であって、
シートに印刷画像を形成する指示を受け付ける入力部と、
前記印刷画像を示す印刷画像データを生成する第１生成部と、
加工画像を示す加工画像データを生成する第２生成部と、
第１指定画面と第２指定画面とを共に表示可能な表示部と
を備え、
前記加工画像は、色覚障害者向けに加工された前記印刷画像であり、
前記第１指定画面は、前記印刷画像の印刷部数を入力するための画面であり、
前記第２指定画面は、前記加工画像の印刷部数を入力するための画面である、情報処理装置。
【請求項２】
前記表示部は、選択画面をさらに表示可能であり、
前記選択画面は、前記印刷画像の印刷、及び前記加工画像の印刷のうちのいずれの印刷を行うかの選択結果を入力するための印刷選択画面を含む、請求項１に記載の情報処理装置。
【請求項３】
前記印刷画像の印刷が選択されることによって、前記表示部が前記印刷画像のプレビュー画像を表示する、請求項２に記載の情報処理装置。
【請求項４】
前記加工画像の印刷が選択されることによって、前記表示部が前記加工画像のプレビュー画像を表示する、請求項２又は請求項３に記載の情報処理装置。
【請求項５】
前記印刷画像の印刷が選択された場合、前記表示部が第１印刷画面を表示し、
前記第１印刷画面は、前記加工画像の印刷を追加するか否かの選択結果を入力するための第１追加画面を含む、請求項２から請求項４のいずれか１項に記載の情報処理装置。
【請求項６】
前記加工画像の印刷を追加しないことが選択されると、前記表示部は、前記第１印刷画面内に前記第１指定画面を表示し、
前記加工画像の印刷を追加することが選択されると、前記表示部は、前記第１印刷画面内に前記第１指定画面と前記第２指定画面とを表示する、請求項５に記載の情報処理装置。
【請求項７】
前記加工画像の印刷が選択された場合、前記表示部が第２印刷画面を表示し、
前記第２印刷画面は、前記印刷画像の印刷を追加するか否かの選択結果を入力するための第２追加画面を含む、請求項２から請求項４のいずれか１項に記載の情報処理装置。
【請求項８】
前記印刷画像の印刷の追加を行わないことが選択されると、前記表示部は、前記第２印刷画面内に前記第２指定画面を表示し、
前記印刷画像の印刷の追加を行うことが選択されると、前記表示部は、前記第２印刷画面内に前記第１指定画面と前記第２指定画面とを表示する、請求項７に記載の情報処理装置。
【請求項９】
請求項１から請求項８のいずれか１項に記載の情報処理装置と、
前記画像形成装置と
を備える情報処理システム。
【請求項１０】
前記画像形成装置は、前記情報処理装置から受信する印刷データに基づいて、シートに画像を形成する、請求項９に記載の情報処理システム。
【発明の詳細な説明】
【技術分野】
【０００１】
本発明は、情報処理装置、及び情報処理システムに関する。
【背景技術】
【０００２】
特許文献１に記載の画像処理装置は、プロパティーウィンドウを備える。プロパティーウィンドウの色覚ダイアログには、色覚障害対応モードチェックボックスが設けられている。作成された画像データの中に色覚障害者が識別しにくい画像領域が含まれている場合、画像領域の画像データがポップアップ画面として表示される。画像領域の画像は、色覚障害者にとって見分けのつきやすい画像に加工される。
【先行技術文献】
【特許文献】
【０００３】
【特許文献１】特開２００４−７８３２５号公報
【発明の概要】
【発明が解決しようとする課題】
【０００４】
しかし、ユーザーが、未加工の画像である印刷画像と、加工された画像である加工画像との両方を印刷したい場合があった。この場合、まず、ユーザーは、画像処理装置に対して、印刷画像の印刷部数を指定する指示を入力していた。そして、印刷画像の印刷処理の終了後、ユーザーは、画像処理装置に対して、加工画像の印刷部数を指定する指示を入力していた。従って、ユーザーは、画像処理装置に対して、印刷画像の印刷部数を指定する指示と、加工画像の印刷部数を指定する指示とを異なる機会に入力しなればならず、煩雑であった。
【０００５】
本発明は、ユーザーが、印刷画像の印刷部数を指定する指示と、加工画像の印刷部数を指定する指示とを容易に行うことが可能な情報処理装置、及び情報処理システムを提供することを目的としている。
【課題を解決するための手段】
【０００６】
本発明の一局面によれば、情報処理装置は、シートに画像を形成する画像形成装置と通信可能である。情報処理装置は、入力部と、第１生成部と、第２生成部と、表示部とを備える。入力部は、シートに印刷画像を形成する指示を受け付ける。第１生成部は、前記印刷画像を示す印刷画像データを生成する。第２生成部は、加工画像を示す加工画像データを生成する。表示部は、第１指定画面と第２指定画面とを共に表示可能である。前記加工画像は、色覚障害者向けに加工された前記印刷画像である。前記第１指定画面は、前記印刷画像の印刷部数を入力するための画面である。前記第２指定画面は、前記加工画像の印刷部数を入力するための画面である。
【０００７】
本発明の二局面によれば、情報処理システムは、上記情報処理装置と、上記画像形成装置とを備える。
【発明の効果】
【０００８】
本発明によれば、ユーザーが情報処理装置に対して、印刷画像の印刷部数を指定する指示と、加工画像の印刷部数を指定する指示とを容易に行うことができる。
【図面の簡単な説明】
【０００９】
【図１】情報処理システムのブロック図である。
【図２】制御装置の動作を示す第１フロー図である。
【図３】制御装置の動作を示す第２フロー図である。
【図４】選択画面を示す図である。
【図５】第１印刷画面を示す図である。
【図６】第２指定画面の追加後の第１印刷画面を示す図である。
【図７】第２印刷画面を示す図である。
【図８】第１指定画面の追加後の第２印刷画面を示す図である。
【発明を実施するための形態】
【００１０】
本発明の実施形態について、図面を参照しながら説明する。なお、図中、同一又は相当部分については同一の参照符号を付して説明を繰り返さない。
【００１１】
図１を参照して、本発明の実施形態を示す情報処理システム１について説明する。図１は、情報処理システム１のブロック図である。
【００１２】
図１に示すように、情報処理システム１は、情報処理装置１００と、画像形成装置２００とを備える。
【００１３】
情報処理装置１００は、印刷データを生成する。情報処理装置１００は、例えば、ＰＣ（Ｐｅｒｓｏｎａｌ  Ｃｏｍｐｕｔｅｒ）、及びスマートフォンのような端末である。
【００１４】
情報処理装置１００は、画像形成装置２００と有線又は無線により通信可能である。情報処理装置１００は、画像形成装置２００に対して印刷データを送信する。その結果、画像形成装置２００は、印刷データに基づいて、シートに画像を形成する。
【００１５】
情報処理装置１００は、入力部１１０と、表示部１２０と、記憶部１３０と、通信部１４０と、制御装置１６０とを備える。
【００１６】
入力部１１０は、外部からの指示を受け付ける。入力部１１０は、例えば、キーボード、マウス、及びタッチパネルのうちの少なくとも１つを含む。
【００１７】
表示部１２０は、情報を表示する。表示部１２０は、例えば、液晶ディスプレー（Ｌｉｑｕｉｄ  Ｃｒｙｓｔａｌ  Ｄｉｓｐｌａｙ）である。
【００１８】
記憶部１３０は、ＲＯＭ（Ｒｅａｄ  Ｏｎｌｙ  Ｍｅｍｏｒｙ）、及びＲＡＭ（Ｒａｎｄｏｍ  Ａｃｃｅｓｓ  Ｍｅｍｏｒｙ）のような主記憶装置（例えば、半導体メモリー）を含み、補助記憶装置（例えば、ハードディスクドライブ）をさらに含んでもよい。記憶部１３０は、制御装置１６０によって実行される種々のコンピュータープログラムを記憶する。
【００１９】
通信部１４０は、画像形成装置２００と通信するためのデバイスである。通信部１４０は、同じ通信方式（プロトコル）を利用する通信機が搭載された画像形成装置２００との間で通信が可能である。通信部１４０は、例えば、ＬＡＮボードのような通信モジュール（通信機器）を含む。通信部１４０は、例えば、無線アクセスポイントと通信網とを介して画像形成装置２００と通信する。この場合、画像形成装置２００は、例えば、Ｗｉ−Ｆｉ（ワイファイ：登録商標）の通信規格を用いて無線アクセスポイントと通信する。なお、情報処理装置１００が、画像形成装置２００と有線で接続されていてもよい。また、情報処理装置１００と画像形成装置２００とが同一の筐体に収容された一体の装置であってもよい。
【００２０】
制御装置１６０は、ＣＰＵ（Ｃｅｎｔｒａｌ  Ｐｒｏｃｅｓｓｉｎｇ  Ｕｎｉｔ）及びＭＰＵ（Ｍｉｃｒｏ  Ｐｒｏｃｅｓｓｉｎｇ  Ｕｎｉｔ）のようなプロセッサーを含む。制御装置１６０は、記憶部１３０に記憶されたコンピュータープログラムを実行することにより、情報処理装置１００の各要素を制御する。
【００２１】
制御装置１６０は、第１生成部１６１と、第２生成部１６２と、制御部１６３とを有する。具体的には、制御装置１６０のプロセッサーが、記憶装置に記憶されたコンピュータープログラムを実行することにより、第１生成部１６１、第２生成部１６２、及び制御部１６３として機能する。
【００２２】
画像形成装置２００は、シートに画像を形成する。画像形成装置２００は、例えば、レーザープリンター、又は、インクジェットプリンターである。なお、画像形成装置２００は、プリンター単体に限らず、複写機、ファクシミリ装置、又は、複合機でもよい。シートは、例えば、普通紙、コピー紙、再生紙、薄紙、厚紙、光沢紙、又はＯＨＰ（Ｏｖｅｒｈｅａｄ  Ｐｒｏｊｅｃｔｏｒ）用紙である。
【００２３】
次に、図２から図９を参照して、制御装置１６０の動作を説明する。図２は、制御装置１６０の動作を示す第１フロー図である。図３は、制御装置１６０の動作を示す第２フロー図である。
【００２４】
図２に示すように、ステップＳ１０において、情報処理装置１００の入力部１１０が、画像形成指示を受け付ける。画像形成指示は、シートに印刷画像を形成する指示である。
【００２５】
ステップＳ２０において、第１生成部１６１は、印刷画像を示す印刷画像データを生成する。印刷画像は、ステップＳ１０においてシートに形成されるように指示された画像そのものであり、加工されていない。印刷画像は、色覚健常者向けの画像である。
【００２６】
ステップＳ３０において、第２生成部１６２は、加工画像を示す加工画像データを生成する。加工画像は、色覚障害者向けに加工された印刷画像である。加工画像は、色覚障害者が見やすいように、例えば、カラーユニバーサルデザインに基づいて印刷画像の色調が変更された画像である。
【００２７】
なお、ステップＳ２０に示す処理と、ステップＳ３０に示す処理とが行われる順序は、特に限定されない。ステップＳ２０に示す処理と、ステップＳ３０に示す処理とが同時に行われてもよい。
【００２８】
ステップＳ４０において、表示部１２０が選択画面１０を表示するように、制御部１６３が表示部１２０を制御する。その結果、表示部１２０に選択画面１０が表示される。
【００２９】
図４は、選択画面１０を示す図である。
【００３０】
図２及び図４に示すように、選択画面１０は、印刷選択画面１１を含む。印刷選択画面（印刷選択入力欄）１１は、情報処理装置１００に対して、印刷画像の印刷、及び加工画像の印刷のうちのいずれの印刷を行うかの選択結果を入力するための画面（入力欄）である。
【００３１】
印刷選択画面１１に対して第１情報が入力される。また、第１情報は、入力部１１０から入力される。第１情報は、印刷画像の印刷、及び加工画像の印刷のうちのいずれの印刷を行うかの選択結果を示す情報である。
【００３２】
印刷選択画面１１は、第１画面１２と、第２画面１３とを含む。
【００３３】
第１画面（第１入力欄）１２は、印刷画像の印刷を選択したことを入力するための画面（入力欄）である。本実施形態では、第１画面１２は、「正常色覚」の表示を含む。第２画面（第２入力欄）１３は、加工画像の印刷を選択したことを入力するための画面（入力欄）である。本実施形態では、第２画面１３は、「色覚障害あり」の表示を含む。
【００３４】
ステップＳ５０において、印刷画像の印刷、及び加工画像の印刷のうちのいずれの印刷が選択されたかを制御部１６３が判定する。
【００３５】
印刷画像の印刷が選択されると（ステップＳ５０で、Ｙｅｓ）、処理がステップＳ６０に移行する。なお、本実施形態では、第１画面１２に含まれるチェックボックス１２ａが入力部１１０を介してチェックされることで、印刷画像の印刷が選択される。
【００３６】
ステップＳ６０において、表示部１２０が第１印刷画面２０を表示するように、制御部１６３が表示部１２０を制御する。その結果、表示部１２０に第１印刷画面２０が表示される。
【００３７】
図５は、第１印刷画面２０を示す図である。
【００３８】
図５に示すように、第１印刷画面２０は、第１プレビュー画像２１と、第１追加画面２２と、第１指定画面２３と、印刷実行画像２４と、キャンセル画像２５とを含む。
【００３９】
第１プレビュー画像２１は、印刷画像のプレビュー画像である。
【００４０】
制御部１６３は、ステップＳ２０で生成された印刷画像データに基づいて、第１プレビュー画像２１を作成する。そして、表示部１２０が第１印刷画面２０内に第１プレビュー画像２１を表示するように、制御部１６３が表示部１２０を制御する。
【００４１】
第１追加画面（第１追加入力欄）２２は、情報処理装置１００に対して、加工画像の印刷を追加するか否かの選択結果を入力するための画面（入力欄）である。本実施形態では、第１追加画面２２は、「色覚障害者向けの印刷も行う」の表示を含む。
【００４２】
第１追加画面２２に対して第２情報が入力される。また、第２情報は、入力部１１０から入力される。第２情報は、加工画像の印刷を追加するか否かの選択結果を示す情報である。
【００４３】
第１指定画面（第１指定入力欄）２３は、情報処理装置１００に対して、印刷画像の印刷部数を入力するための画面（入力欄）である。第１指定画面２３には、「通常印刷」の表示が含まれる。
【００４４】
第１指定画面２３に対して第３情報が入力される。また、第３情報は、入力部１１０から入力される。第３情報は、印刷画像の印刷部数を示す情報である。
【００４５】
本実施形態では、第１指定画面２３は、矢印アイコン２３ａと、表示枠２３ｂとを含む。入力部１１０を介して矢印アイコン２３ａが操作されることで、印刷画像の印刷部数が指定される。指定された印刷画像の印刷部数は、表示枠２３ｂに表示される。
【００４６】
印刷実行画像２４は、印刷の実行を受け付ける画像である。入力部１１０を介して印刷実行画像２４が選択されることで、印刷が実行される。キャンセル画像２５は、画像形成指示のキャンセルを受け付ける画像である。入力部１１０を介してキャンセル画像２５が選択されることで、画像形成指示がキャンセルされる。
【００４７】
図３及び図５に示すように、ステップＳ７０において、加工画像の印刷を追加することが選択されたか否かを制御部１６３が判定する。
【００４８】
加工画像の印刷を追加することが選択されると（ステップＳ７０で、Ｙｅｓ）、処理がステップＳ８０に移行する。本実施形態では、第１追加画面２２に含まれるチェックボックス２２ａが入力部１１０を介してチェックされることで、加工画像の印刷を追加することが選択される。
【００４９】
加工画像の印刷を追加しないことが選択されると（ステップＳ７０で、Ｎｏ）、表示部１２０は、第１印刷画面２０内に第１指定画面２３を表示するが、第２指定画面２６を表示しない。第２指定画面２６の説明は後述する。本実施形態では、第１追加画面２２に含まれるチェックボックス２２ａが入力部１１０を介してチェックされないことで、加工画像の印刷を追加しないことが選択される。ステップＳ７０で、Ｎｏの場合、処理がステップＳ１２０に移行する。
【００５０】
ステップＳ８０に示すように、表示部１２０が第１印刷画面２０内に第２指定画面２６を追加するように、制御部１６３が表示部１２０を制御する。その結果、第１印刷画面２０内に第２指定画面２６が追加される。
【００５１】
図６は、第２指定画面２６の追加後の第１印刷画面２０を示す図である。
【００５２】
図３及び図６に示すように、第１印刷画面２０は、第１プレビュー画像２１と、第１追加画面２２と、第１指定画面２３と、印刷実行画像２４と、キャンセル画像２５と、第２指定画面２６を含む。
【００５３】
第２指定画面（第２指定入力欄）２６は、情報処理装置１００に対して、加工画像の印刷部数を入力するための画面（入力欄）である。第２指定画面２６は、「色覚障害者向け印刷」の表示を含む。
【００５４】
第２指定画面２６に対して第４情報が入力される。また、第４情報は、入力部１１０から入力される。第４情報は、加工画像の印刷部数を示す情報である。
【００５５】
本実施形態では、第２指定画面２６は、矢印アイコン２６ａと、表示枠２６ｂとを含む。入力部１１０を介して矢印アイコン２６ａが操作されることで、加工画像の印刷部数が指定される。指定された加工画像の印刷部数は、表示枠２６ｂに表示される。
【００５６】
第１印刷画面２０内に第２指定画面２６が追加されることで、ユーザーは、印刷画像の印刷部数のみならず、加工画像の印刷部数も指定することが可能になる。
【００５７】
ステップＳ８０に示す処理が終了すると、処理がステップＳ１２０に移行する。
【００５８】
図２及び図４に示すように、ステップＳ５０において、印刷画像の印刷が選択されないと（ステップＳ５０で、Ｎｏ）、処理がステップＳ９０に移行する。印刷画像の印刷が選択されないことは、加工画像の印刷が選択されたことを示す。本実施形態では、第２画面１３に含まれるチェックボックス１３ａが入力部１１０を介してチェックされることで、加工画像の印刷が選択される。
【００５９】
ステップＳ９０において、表示部１２０が第２印刷画面３０を表示するように、制御部１６３が表示部１２０を制御する。その結果、表示部１２０に第２印刷画面３０が表示される。
【００６０】
図７は、第２印刷画面３０を示す図である。
【００６１】
図７に示すように、第２印刷画面３０は、第２プレビュー画像３１と、第２追加画面３２と、印刷実行画像２４と、キャンセル画像２５と、第２指定画面２６とを含む。
【００６２】
第２プレビュー画像３１は、加工画像のプレビュー画像である。
【００６３】
制御部１６３は、ステップＳ２０で生成された印刷画像データに基づいて、第２プレビュー画像３１を作成する。そして、表示部１２０が第２印刷画面３０内に第２プレビュー画像３１を表示するように、制御部１６３が表示部１２０を制御する。
【００６４】
第２追加画面（第２追加入力欄）３２は、情報処理装置１００に対して、印刷画像の印刷を追加するか否かの選択結果を入力するための画面（入力欄）である。本実施形態では、第２追加画面３２は、「通常印刷も行う」の表示を含む。
【００６５】
第２追加画面３２に対して第５情報が入力される。また、第５情報は、入力部１１０から入力される。第５情報は、印刷画像の印刷を追加するか否かの選択結果を示す情報である。
【００６６】
図３及び図７に示すように、ステップＳ１００において、印刷画像の印刷を追加することが選択されたか否かを制御部１６３が判定する。
【００６７】
印刷画像の印刷を追加することが選択されると（ステップＳ１００で、Ｙｅｓ）、処理がステップＳ１１０に移行する。本実施形態では、第２追加画面３２に含まれるチェックボックス３２ａが入力部１１０を介してチェックされることで、印刷画像の印刷を追加することが選択される。
【００６８】
印刷画像の印刷を追加しないことが選択されると（ステップＳ１００で、Ｎｏ）、表示部１２０は、第１印刷画面２０内に第２指定画面２６を表示するが、第１指定画面２３を表示しない。本実施形態では、第２追加画面３２に含まれるチェックボックス３２ａが入力部１１０を介してチェックされないことで、印刷画像の印刷を追加しないことが選択される。ステップＳ１００で、Ｎｏの場合、処理がステップＳ１２０に移行する。
【００６９】
ステップＳ１１０に示すように、表示部１２０が第２印刷画面３０内に第１指定画面２３を追加するように、制御部１６３が表示部１２０を制御する。その結果、第２印刷画面３０内に第１指定画面２３が追加される。
【００７０】
図８は、第１指定画面２３の追加後の第２印刷画面３０を示す図である。
【００７１】
図３及び図８に示すように、第２印刷画面３０は、第２プレビュー画像３１と、第２追加画面３２と、第１指定画面２３と、印刷実行画像２４と、キャンセル画像２５と、第２指定画面２６とを含む。第２印刷画面３０内に第１指定画面２３が追加されることで、ユーザーは、加工画像の印刷部数のみならず、印刷画像の印刷部数も指定することが可能になる。
【００７２】
ステップＳ１１０に示す処理が終了すると、処理がステップＳ１２０に移行する。
【００７３】
ステップＳ１２０において、入力部１１０が、印刷の実行指示を受け付ける。本実施形態では、入力部１１０を介して印刷実行画像２４が選択される。
【００７４】
図１及び図３に示すように、ステップＳ１３０において、通信部１４０が画像形成装置２００に印刷データを送信するように、制御部１６３が通信部１４０を制御する。
【００７５】
印刷画像が印刷される場合、印刷データは、ステップＳ２０で生成された印刷画像データと、第１印刷コマンドとを含む。第１印刷コマンドは、図５、図６、又は図８に示す第１指定画面２３に対して入力された部数だけ印刷画像を印刷するように、画像形成装置２００に指示するコマンドである。
【００７６】
加工画像が印刷される場合、印刷データは、ステップＳ３０で生成された加工画像データと、第２印刷コマンドとを含む。第２印刷コマンドは、図６から図８に示す第２指定画面２６に対して入力された部数だけ加工画像を印刷するように、画像形成装置２００に指示するコマンドである。
【００７７】
ステップＳ１４０において、画像形成装置２００は、印刷データを受信する。
【００７８】
ステップＳ１５０において、画像形成装置２００は、情報処理装置１００から受信する印刷データに基づいて、シートに画像を形成する。
【００７９】
画像形成装置２００は、印刷画像、及び／又は、加工画像を、印刷データで指示される部数だけ印刷する。印刷画像を印刷することは、シートに印刷画像を形成することを示す。加工画像を印刷することは、シートに加工画像を形成することを示す。
【００８０】
以上、図２から図９を参照して説明したように、ステップＳ８０、及びステップＳ１１０において、表示部１２０は、第１指定画面２３と、第２指定画面２６とを共に表示する。従って、ユーザーは、情報処理装置１００に対して、同一の機会に、印刷画像の印刷部数と、加工画像の印刷部数とを指定することができる。その結果、ユーザーは、情報処理装置１００に対して、印刷画像の印刷部数を指定する指示と、加工画像の印刷部数を指定する指示とを容易に行うことができる。
【００８１】
また、ステップＳ６０において、入力部１１０を介して印刷画像の印刷（チェックボックス１２ａ）が選択されることによって、表示部１２０が第１プレビュー画像２１を表示する。従って、ユーザーは、印刷画像を印刷する前に、第１プレビュー画像２１により印刷画像の色調を確認することができる。
【００８２】
また、ステップＳ９０において、入力部１１０を介して加工画像の印刷（チェックボックス１３ａ）が選択されることによって、表示部１２０が第２プレビュー画像３１を表示する。従って、ユーザーは、加工画像を印刷する前に、第２プレビュー画像３１により加工画像の色調を確認することができる。
【００８３】
また、ステップＳ７０において、ユーザーが印刷画像の印刷は所望するが、加工画像の印刷は所望しない場合、第１印刷画面２０内に、第１指定画面２３を表示させるが、第２指定画面２６を表示させないことができる。従って、ユーザーのニーズに合わせた第１印刷画面２０を形成することが可能になる。
【００８４】
また、ステップＳ１００において、ユーザーが加工画像の印刷は所望するが、印刷画像の印刷は所望しない場合、第２印刷画面３０内に、第２指定画面２６を表示させるが、第１指定画面２３を表示させないことができる。従って、ユーザーのニーズに合わせた第２印刷画面３０を形成することが可能になる。
【００８５】
以上、図面（図１〜図８）を参照しながら本発明の実施形態について説明した。但し、本発明は、上記の実施形態に限られるものではなく、その要旨を逸脱しない範囲で種々の態様において実施することが可能である（例えば、（１）〜（４））。また、上記の実施形態に開示されている複数の構成要素を適宜組み合わせることによって、種々の発明の形成が可能である。例えば、実施形態に示される全構成要素から幾つかの構成要素を削除してもよい。図面は、理解しやすくするために、それぞれの構成要素を主体に模式的に示しており、図示された各構成要素の個数等は、図面作成の都合から実際とは異なる場合もある。また、上記の実施形態で示す各構成要素は一例であって、特に限定されるものではなく、本発明の効果から実質的に逸脱しない範囲で種々の変更が可能である。
【００８６】
（１）本実施形態では、図４に示す選択画面１０と、図５又は図６に示す第１印刷画面２０とが、表示部１２０（図１参照）の異なる画面に表示される。しかし、本発明はこれに限定されない。選択画面１０と第１印刷画面２０とが、表示部１２０の１つの画面に表示されてもよい。
【００８７】
（２）本実施形態では、図４に示す選択画面１０と、図７又は図８に示す第２印刷画面３０とが、表示部１２０（図１参照）の異なる画面に表示される。しかし、本発明はこれに限定されない。選択画面１０と第２印刷画面３０とが、表示部１２０の１つの画面に表示されてもよい。
【００８８】
（３）図５及び図６を参照して説明したように、第１プレビュー画像２１は、第１印刷画面２０に表示される。しかし、本発明は、これに限定されない。第１プレビュー画像２１は、第１印刷画面２０に表示されなくてもよい。図４に示す選択画面１０において印刷画像の印刷（チェックボックス１２ａ）が選択されてから、図３のステップＳ１３０において画像形成装置２００に対する印刷データの送信処理が開始されるまでの間に、第１プレビュー画像２１が表示部１２０に表示されればよい。
【００８９】
（４）図７及び図８を参照して説明したように、第２プレビュー画像３１は、第２印刷画面３０に表示される。しかし、本発明は、これに限定されない。第２プレビュー画像３１は、第２印刷画面３０に表示されなくてもよい。図４に示す選択画面１０において加工画像の印刷（チェックボックス１３ａ）が選択されてから、図３のステップＳ１３０において画像形成装置２００に対する印刷データの送信処理が開始されるまでの間に、第２プレビュー画像３１が表示部１２０に表示されればよい。
【産業上の利用可能性】
【００９０】
本発明は、情報処理装置、及び情報処理システムの分野に利用可能である。
【符号の説明】
【００９１】
１      情報処理システム
１０    選択画面
１２    第１画面
１３    第２画面
２０    第１印刷画面
２１    第１プレビュー画像（印刷画像のプレビュー画像）
２２    第１追加画面
２３    第１指定画面
２６    第２指定画面
３０    第２印刷画面
３１    第２プレビュー画像（加工画像のプレビュー画像）
３２    第２追加画面
１００  情報処理装置
１１０  入力部
１２０  表示部
１６１  第１生成部
１６２  第２生成部
２００  画像形成装置
【図１】
2020030516.tif 000003
【図２】
2020030516.tif 000004
【図３】
2020030516.tif 000005
【図４】
2020030516.tif 000006
【図５】
2020030516.tif 000007
【図６】
2020030516.tif 000008
【図７】
2020030516.tif 000009
【図８】
2020030516.tif 000010